(57)【要約】【課題】昆虫が侵入するのを抑制することができる照明装置を提供することである。【解決手段】実施形態に係る照明装置は、シャーシと；前記シャーシの一方の面に設けられた筐体と；前記シャーシの前記筐体が設けられた側とは反対側に設けられ、発光素子を有する発光モジュールと；前記筐体の内部に設けられた回路部と；前記筐体の内部に設けられ、前記筐体の側面に沿って延びる第１の部分と、前記第１の部分が延びる方向と交差し前記筐体の中心側に向う方向に延びる第２の部分と、を有し、前記第２の部分の少なくとも一部が前記シャーシの一方の面と接触するシートと；を具備している。【選択図】図２
2018107057.tif 000002
【特許請求の範囲】
【請求項１】
シャーシと；
前記シャーシの一方の面に設けられた筐体と；
前記シャーシの前記筐体が設けられた側とは反対側に設けられ、発光素子を有する発光モジュールと；
前記筐体の内部に設けられた回路部と；
前記筐体の内部に設けられ、前記筐体の側面に沿って延びる第１の部分と、前記第１の部分が延びる方向と交差し前記筐体の中心側に向う方向に延びる第２の部分と、を有し、
前記第２の部分の少なくとも一部が前記シャーシの一方の面と接触するシートと；
を具備する照明装置。
【請求項２】
前記シートは絶縁性を有し、
前記第１の部分は、前記回路部と、前記筐体の側面と、の間に設けられている請求項１記載の照明装置。
【請求項３】
前記筐体は、折り曲げられた板材から構成されている請求項１または２に記載の照明装置。
【請求項４】
前記第２の部分の少なくとも一部は、弾性力により前記シャーシの一方の面と接触している請求項１〜３のいずれか１つに記載の照明装置。
【請求項５】
前記筐体は、締結部材により前記シャーシの一方の面に接合されている請求項１〜４のいずれか１つに記載の照明装置。
【発明の詳細な説明】
【技術分野】
【０００１】
本発明の実施形態は、照明装置に関する。
【背景技術】
【０００２】
ＬＥＤ（Light Emitting Diode）などの発光素子を備えた照明装置の普及が進んでいる。また、発光素子を備えた照明装置には、店舗、オフィス、体育館、多目的ホールなどの天井から吊り下げられるいわゆる高天井用の照明装置がある。高天井用の照明装置は軽量であることが好ましい。そのため、板金加工により形成された部材同士をネジなどの締結部材を用いて接合している。この様にすれば、照明装置の軽量化を図ることができる。  
ところが、板金加工により形成された部材同士をネジなどの締結部材を用いて接合すると、部材同士の間に僅かな隙間が生じる場合がある。
【０００３】
ここで、照明装置を点灯させると、紫外線に感応した飛翔する昆虫が照明装置に引き寄せられる。引き寄せられた昆虫が、部材同士の間の隙間から照明装置の内部に侵入すると、照明装置の内部に設けられた回路部が短絡するなどして故障するおそれがある。  
そこで、昆虫が侵入するのを抑制することができる照明装置の開発が望まれていた。
【先行技術文献】
【特許文献】
【０００４】
【特許文献１】特開２０１６−１６２７０６号公報
【発明の概要】
【発明が解決しようとする課題】
【０００５】
本発明が解決しようとする課題は、昆虫が侵入するのを抑制することができる照明装置を提供することである。
【課題を解決するための手段】
【０００６】
実施形態に係る照明装置は、シャーシと；前記シャーシの一方の面に設けられた筐体と；前記シャーシの前記筐体が設けられた側とは反対側に設けられ、発光素子を有する発光モジュールと；前記筐体の内部に設けられた回路部と；前記筐体の内部に設けられ、前記筐体の側面に沿って延びる第１の部分と、前記第１の部分が延びる方向と交差し前記筐体の中心側に向う方向に延びる第２の部分と、を有し、前記第２の部分の少なくとも一部が前記シャーシの一方の面と接触するシートと；を具備している。
【発明の効果】
【０００７】
本発明の実施形態によれば、昆虫が侵入するのを抑制することができる照明装置を提供することができる。
【図面の簡単な説明】
【０００８】
【図１】本実施の形態に係る照明装置１を例示するための模式斜視図である。
【図２】筐体３０の内部を例示するための模式部分断面図である。
【発明を実施するための形態】
【０００９】
以下、図面を参照しつつ、実施の形態について例示をする。なお、各図面中、同様の構成要素には同一の符号を付して詳細な説明は適宜省略する。  
図１は、本実施の形態に係る照明装置１を例示するための模式斜視図である。  
図２は、筐体３０の内部を例示するための模式部分断面図である。  
照明装置１は、例えば、天井から吊り下げられるいわゆる高天井用の照明装置とすることができる。  
図１および図２に示すように、照明装置１には、照明ユニット１０、シャーシ２０、筐体３０、回路部４０、配線カバー５０、アングル６０、およびシート７０が設けられている。
【００１０】
照明ユニット１０は、発光モジュール１１、放熱部１２、および絶縁シート１３を有する。  
発光モジュール１１は、シャーシ２０の筐体３０が設けられた側とは反対側に設けられている。
発光モジュール１１は、基板１１ａ、基板１１ａの表面に実装された複数の発光素子、および基板１１ａの発光素子が実装された側を覆うカバー１１ｂを有する。
【００１１】
基板１１ａは、平板状を呈している。基板１１ａの平面形状は、例えば、四角形とすることができる。
基板１１ａは、例えば、セラミックス（例えば、酸化アルミニウムや窒化アルミニウムなど）などの無機材料、紙フェノールやガラスエポキシなどの有機材料などから形成することができる。また、基板１１ａは、金属板の表面を絶縁材料で被覆したものであってもよい。なお、金属板の表面を絶縁材料で被覆する場合には、絶縁材料は、有機材料からなるものであってもよいし、無機材料からなるものであってもよい。
【００１２】
ただし、高天井用の照明装置の場合には大光束が要求されるので、発光素子の発熱量が多くなる。そのため、放熱の観点から熱伝導率の高い材料を用いて基板１１ａを形成することが好ましい。熱伝導率の高い材料としては、例えば、酸化アルミニウムや窒化アルミニウムなどのセラミックス、高熱伝導性樹脂、金属板の表面を絶縁性材料で被覆したものなどを例示することができる。なお、高熱伝導性樹脂は、例えば、ポリエチレンテレフタレートやナイロンなどの樹脂に、熱伝導率の高い酸化アルミニウムや炭素などからなるフィラーを混合させたものである。  
また、基板１１ａの表面には、配線パターンが設けられている。
【００１３】
複数の発光素子は、例えば、発光ダイオード、有機発光ダイオード、レーザダイオードなどとすることができる。複数の発光素子は、基板１１ａの表面に設けられた配線パターン上に実装されている。発光素子は、例えば、表面実装型の発光素子、リード線を有する砲弾型の発光素子、ＣＯＢ（Chip On Board）により実装されるチップ状の発光素子などとすることができる。  
また、配線パターン上には、抵抗、コンデンサ、コネクタなどの電気部品を適宜実装することができる。
【００１４】
カバー１１ｂの平面形状は、四角形とすることができる。カバー１１ｂは、透光性材料から形成することができる。カバー１１ｂは、例えば、ポリカーボネートなどから形成することができる。  
また、カバー１１ｂには、複数のリフレクタ１１ｃが一体成形されている。リフレクタ１１ｃは、発光素子の光の出射側に設けられている。リフレクタ１１ｃは、例えば、円錐台状の凹部とすることができる。発光素子から出射しリフレクタ１１ｃに入射した光は、リフレクタ１１ｃにより反射されて、照明装置１の前方に向けて照射される。
【００１５】
放熱部１２は、本体部１２ａ、および複数の放熱フィン１２ｂを有する。  
本体部１２ａは、基部１２ａ１、および一対の取付部１２ａ２を有する。  
基部１２ａ１は、平板状を呈している。基部１２ａ１の平面形状は、四角形とすることができる。基部１２ａ１の厚みは、放熱フィン１２ｂの厚みよりも厚くなっている。基部１２ａ１の一方の面には、絶縁シート１３を介して発光モジュール１１（基板１１ａ）が取り付けられる。
【００１６】
基部１２ａ１の両端部のそれぞれには取付部１２ａ２が設けられている。一対の取付部１２ａ２の厚みは、基部１２ａ１の厚みと同様とすることができる。一対の取付部１２ａ２は平板状を呈し、シャーシ２０の上面部２０ａに向けて延びている。
【００１７】
複数の放熱フィン１２ｂは、基部１２ａ１の、発光モジュール１１が取り付けられる側とは反対側の面に設けられている。複数の放熱フィン１２ｂは、取付部１２ａ２が延びる方向に延びている。複数の放熱フィン１２ｂは、所定の間隔をあけて、互いに平行となるように設けられている。
【００１８】
本体部１２ａおよび複数の放熱フィン１２ｂは、例えば、押出成形によって一体成形することができる。本体部１２ａおよび複数の放熱フィン１２ｂは、熱伝導率の高い材料から形成することができる。本体部１２ａおよび複数の放熱フィン１２ｂは、例えば、アルミニウムなどの軽金属から形成することができる。
【００１９】
絶縁シート１３は、放熱部１２の基部１２ａ１と、発光モジュール１１の基板１１ａとの間に設けられている。絶縁シート１３は、樹脂やゴムなどの絶縁材料から形成することができる。また、絶縁シート１３は、粘着性および高い熱伝導性をさらに有するものとすることができる。絶縁シート１３の平面寸法は、基板１１ａの平面寸法よりも若干大きくなるようにすることができる。
【００２０】
シャーシ２０は、上面部２０ａ、および一対の側面部２０ｂを有する。  
上面部２０ａは、放熱部１２の基部１２ａ１と対峙している。上面部２０ａの平面形状は、四角形とすることができる。上面部２０ａの中央部分には、配線孔２０ａ１が設けられている。配線孔２０ａ１には、基板１１ａに設けられた配線パターンと回路部４０とを電気的に接続する配線が通される。
【００２１】
上面部２０ａの両端部のそれぞれには側面部２０ｂが設けられている。一対の側面部２０ｂは、上面部２０ａと交差する方向に延びている。一対の側面部２０ｂは、放熱部１２の基部１２ａ１に向けて延びている。シャーシ２０（側面部２０ｂ）は、ネジなどの締結部材により、放熱部１２の取付部１２ａ２の外面に接合されている。側面部２０ｂには、放熱および軽量化のための孔２０ｂ１が設けられている。
【００２２】
上面部２０ａおよび一対の側面部２０ｂは、薄板材から形成されている。上面部２０ａおよび一対の側面部２０ｂは、例えば、冷間圧延鋼板などから形成することができる。上面部２０ａおよび一対の側面部２０ｂの厚みは、例えば、０．４ｍｍ〜２ｍｍ程度とすることができる。また、上面部２０ａおよび一対の側面部２０ｂは、板金加工（折り曲げ加工）により一体形成されている。すなわち、シャーシ２０は、折り曲げられた板材から構成されている。
【００２３】
筐体３０は、シャーシ２０の上面部２０ａに設けられている。筐体３０は、シャーシ２０の上面部２０ａ側の端部が開口し、シャーシ２０の上面部２０ａ側とは反対側の端部が閉鎖した筒状を呈している。  
筐体３０は、上面部３０ａ、側面部３０ｂ、および取付座３０ｃを有する。  
上面部３０ａは、シャーシ２０の上面部２０ａと対峙している。上面部３０ａの平面形状は、四角形とすることができる。上面部３０ａには、配線孔が設けられている。配線孔には、回路部４０と外部電源とを電気的に接続する配線が通される。
【００２４】
側面部３０ｂは、上面部３０ａの周縁に沿って設けられている。側面部３０ｂは、上面部３０ａの各辺のそれぞれに設けられている。側面部３０ｂは、上面部３０ａと交差する方向に延びている。側面部３０ｂは、シャーシ２０の上面部２０ａに向けて延びている。
【００２５】
取付座３０ｃは、側面部３０ｂの、上面部３０ａ側とは反対側の端部に設けられている。取付座３０ｃは、側面部３０ｂと交差する方向に延びている。取付座３０ｃは、筐体３０の外方に向けて延びている。取付座３０ｃは、シャーシ２０の上面部２０ａと平行となるように設けられている。取付座３０ｃには、取り付け穴３０ｃ１が設けられている。筐体３０（取付座３０ｃ）は、ネジなどの締結部材により、シャーシ２０の上面部２０ａに接合されている。取付座３０ｃの数と配置には特に限定はないが、複数の取付座３０ｃを設ければ筐体３０の取り付け姿勢を安定させることができる。
【００２６】
上面部３０ａ、側面部３０ｂ、および取付座３０ｃは、薄板材から形成されている。上面部３０ａ、側面部３０ｂ、および取付座３０ｃは、例えば、冷間圧延鋼板などから形成することができる。上面部３０ａ、側面部３０ｂ、および取付座３０ｃの厚みは、例えば、０．４ｍｍ〜２ｍｍ程度とすることができる。また、上面部３０ａ、側面部３０ｂ、および取付座３０ｃは、板金加工（折り曲げ加工）により一体形成されている。すなわち、筐体３０は、折り曲げられた板材から構成されている。
【００２７】
回路部４０は、筐体３０の内部に設けられている。例えば、回路部４０は、ネジなどの締結部材により、筐体３０の側面部３０ｂに接合されている。  
回路部４０は、外部電源から供給された交流電力を所定の直流電力に変換し、変換された直流電力を発光モジュール１１（発光素子）に供給する。なお、高天井用の照明装置は高所に設けられるので、故障の修理などのメンテナンスを迅速に行うことが困難となる場合が多い。この場合、図２に例示をしたように、回路部４０を複数設け、複数の発光素子を複数の系統に分けて点灯させれば、複数の回路部４０の一部が故障したとしても複数の発光素子の一部を点灯させることができる。すなわち、回路部４０の故障により突然暗闇となるのを防止することができる。
【００２８】
回路部４０は、基板４１、電気部品４２、およぶ絶縁スペーサ４３を有する。  
基板４１は、平板状を呈している。基板４１の平面形状は、例えば、四角形とすることができる。基板４１は、例えば、紙フェノールやガラスエポキシなどの有機材料などから形成することができる。基板４１の表面には、配線パターンが設けられている。
【００２９】
電気部品４２は、基板４１の表面に設けられた配線パターンと電気的に接続されている。電気部品４２は、例えば、コンデンサ、トランス、抵抗、コイルなどとすることができる。
【００３０】
絶縁スペーサ４３は、回路部４０と筐体３０との間を絶縁する。絶縁スペーサ４３は、基板４１と筐体３０（側面部３０ｂ）との間に設けられている。絶縁スペーサ４３は、樹脂などの絶縁材料から形成することができる。絶縁スペーサ４３は、板状を呈するものとすることもできるし、柱状を呈するものとすることもできる。
【００３１】
配線カバー５０は、筐体３０の上面部３０ａに設けられている。配線カバー５０は、筐体３０の上面部３０ａ側の端部が開口し、筐体３０の上面部３０ａ側とは反対側の端部が閉鎖した筒状を呈している。配線カバー５０は、筐体３０の上面部３０ａに設けられた配線孔を覆っている。配線カバー５０の側面には、配線孔５０ａが設けられている。配線孔５０ａには、回路部４０と外部電源とを電気的に接続する配線が通される。
【００３２】
配線カバー５０は、ネジなどの締結部材により、筐体３０の側面部３０ｂに接合することもできるし、筐体３０の上面部３０ａに接合することもできる。  
配線カバー５０は、薄板材から形成されている。配線カバー５０は、例えば、冷間圧延鋼板などから形成することができる。配線カバー５０の厚みは、例えば、０．４ｍｍ〜２ｍｍ程度とすることができる。また、配線カバー５０は、板金加工（折り曲げ加工）により一体形成されている。すなわち、配線カバー５０は、折り曲げられた板材から構成されている。
【００３３】
アングル６０は、上面部６０ａ、一対の側面部６０ｂ、および取付部６０ｃを有する。  上面部６０ａは、筐体３０の上面部３０ａと対峙している。上面部６０ａの平面形状は、四角形とすることができる。上面部６０ａには、取り付け孔６０ａ１が設けられている。取り付け孔６０ａ１には、ネジなどの締結部材や天井から吊り下げられた昇降部などが挿入される。照明装置１は、アングル６０を介して、例えば、天井や天井から吊り下げられた昇降部などに取り付けられる。
【００３４】
上面部６０ａの両端部のそれぞれには側面部６０ｂが設けられている。一対の側面部６０ｂは、上面部６０ａと交差する方向に延びている。一対の側面部６０ｂは、シャーシ２０が設けられる方向に延びている。
【００３５】
取付部６０ｃは、一対設けられている。すなわち、１つの側面部６０ｂに対して１つの取付部６０ｃが設けられている。取付部６０ｃは、Ｌ字状を呈している。Ｌ字状を呈する取付部６０ｃの一方の部分はシャーシ２０の上面部２０ａに取り付けられている。取付部６０ｃの一方の部分は、シャーシ２０の上面部２０ａにネジなどの締結部材により接合することもできるし、スポット溶接などで接合することもできる。
【００３６】
Ｌ字状を呈する取付部６０ｃの他方の部分は、シャーシ２０の上面部２０ａと交差する方向に延びている。取付部６０ｃの他方の部分は、側面部６０ｂと平行となるように設けられている。取付部６０ｃの他方の部分と側面部６０ｂとは、ネジなどの締結部材により接合することができる。この場合、例えば、円弧状の長孔を側面部６０ｂに設け、照明装置１の首振り角度を調整することができるようにしてもよい。
【００３７】
上面部６０ａ、側面部６０ｂ、および取付部６０ｃは、薄板材から形成されている。上面部６０ａ、側面部６０ｂ、および取付部６０ｃは、例えば、冷間圧延鋼板などから形成することができる。上面部６０ａ、側面部６０ｂ、および取付部６０ｃの厚みは、例えば、０．４ｍｍ〜２ｍｍ程度とすることができる。また、上面部６０ａ、側面部６０ｂ、および取付部６０ｃは、板金加工（折り曲げ加工）により一体形成されている。すなわち、アングル６０は、折り曲げられた板材から構成されている。
【００３８】
ここで、高天井用の照明装置は軽量であることが好ましい。そのため、シャーシ２０、筐体３０、配線カバー５０、およびアングル６０は、折り曲げられた板材から構成されている。また、組み立て性やメンテナンス性を考慮して、折り曲げられた板材から構成された部材同士をネジなどの締結部材により接合している。この様にすれば、照明装置１の軽量化を図ることができる。  
ところが、折り曲げられた板材から構成された部材同士をネジなどの締結部材により接合すると、部材同士の間に僅かな隙間が生じる場合がある。
【００３９】
また、高天井用の照明装置は、飛翔する昆虫が到達可能な高さに設けられる場合が多い。そのため、照明装置１を点灯させると、紫外線に感応した飛翔する昆虫が照明装置１に引き寄せられる。引き寄せられた昆虫は、回路部４０から放出された熱に誘われ、シャーシ２０の上面部２０ａと、筐体３０の側面部３０ｂの端面との間の隙間から筐体３０の内部に侵入する場合がある。筐体３０の内部には回路部４０が設けられているので、筐体３０の内部に昆虫が侵入すると、短絡などの故障が発生するおそれがある。  
そこで、本実施の形態に係る照明装置１にはシート７０が設けられている。
【００４０】
シート７０は、筐体３０の内部に設けられている。  
シート７０は、第１の部分７０ａおよび第２の部分７０ｂを有する。  
第１の部分７０ａは、筐体３０の側面部３０ｂが延びる方向に延びている。すなわち、第１の部分７０ａは、筐体３０の側面に沿って延びている。  
第２の部分７０ｂは、第１の部分７０ａの一方の端部に設けられている。第２の部分７０ｂは、第１の部分７０ａが延びる方向と交差する方向に延びている。第２の部分７０ｂは、筐体３０の中心側に向かって延びている。
【００４１】
第１の部分７０ａおよび第２の部分７０ｂは、折り曲げ加工により一体形成されている。
第２の部分７０ｂの少なくとも一部は、シャーシ２０の上面部２０ａと接触している。例えば、第２の部分７０ｂの、第１の部分７０ａ側とは反対側の端部はシャーシ２０の上面部２０ａと接触するようにすることができる。  
この場合、弾性力により、第２の部分７０ｂの少なくとも一部がシャーシ２０の上面部２０ａと接触するようにすることができる。例えば、第１の部分７０ａと第２の部分７０ｂとがなす角度を鈍角とし、筐体３０をシャーシ２０の上面部２０ａに取り付ける際に、筐体３０の開口から第２の部分７０ｂの端部が出ているようにすれば、弾性力により、第２の部分７０ｂの少なくとも一部がシャーシ２０の上面部２０ａと接触するようにすることができる。
【００４２】
第２の部分７０ｂの少なくとも一部がシャーシ２０の上面部２０ａと接触していれば、昆虫が、シャーシ２０の上面部２０ａと、筐体３０の側面部３０ｂの端面との間の隙間から筐体３０の内部に侵入するのを抑制することができる。
【００４３】
第１の部分７０ａは、回路部４０（絶縁スペーサ４３）と筐体３０（例えば、側面部３０ｂ）との間に設けることができる。  
この場合、シート７０は、絶縁性を有する材料から形成することが好ましい。  
例えば、シート７０は、絶縁性を有する樹脂から形成することができる。絶縁性を有する樹脂は、例えば、ポリエチレンテレフタレート、ナイロンなどとすることができる。ただし、絶縁性を有する樹脂は、例示をしたものに限定されるわけではない。  
絶縁性を有するシート７０（第１の部分７０ａ）とすれば、回路部４０と筐体３０との間の沿面距離を長くすることができる。
【００４４】
また、第１の部分７０ａの平面寸法は、回路部４０（基板４１）の平面寸法よりも長くすることが好ましい。  
第２の部分７０ｂの、第１の部分７０ａ側とは反対側の端部と、筐体３０の側面部３０ｂとの間の距離は、基板４１の、電気部品４２が設けられる面と、筐体３０の側面部３０ｂとの間の距離よりも長くすることが好ましい。  
この様にすれば、回路部４０と筐体３０との間の沿面距離をさらに長くすることができる。  
この場合、第２の部分７０ｂの、第１の部分７０ａ側とは反対側の端部と、筐体３０の側面部３０ｂとの間の距離が、シャーシ２０の上面部２０ａに最も近い電気部品４２の、基板４１側とは反対側の端部と、筐体３０の側面部３０ｂとの間の距離よりも長くすることがより好ましい。  
この様にすれば、回路部４０と筐体３０との間の沿面距離をさらに長くすることができる。また、電気部品４２と、シャーシ２０の上面部２０ａとの間の絶縁性を向上させることができる。
【００４５】
シート７０の厚み寸法は、前述した弾性力などを考慮して適宜決定することができる。シート７０の厚み寸法は、例えば、０．２ｍｍ〜０．５ｍｍ程度とすることができる。
【００４６】
第１の部分７０ａは、ネジなどの締結部材により筐体３０の側面部３０ｂに接合することもできるし、接着剤や両面テープを用いて筐体３０の側面部３０ｂに接合することもできる。また、ネジなどの締結部材を用いる場合には、回路部４０と共に接合（共締め）することができる。
【００４７】
また、シート７０の数を少なくすれば製造コストの低減を図ることができる。この場合、複数の側面部３０ｂの少なくとも１つに対してシート７０を設けるようにすれば、昆虫の侵入を抑制することができる。ただし、より多くの側面部３０ｂに対してシート７０を設けるようにすれば、昆虫の侵入をより効果的に抑制することができる。  
シート７０の数を少なくする場合には、回路部４０が設けられる側面部３０ｂに対してシート７０を設けることが好ましい。回路部４０が設けられる側面部３０ｂに対してシート７０が設けられていれば、昆虫の侵入を抑制することができ、且つ、沿面距離の増加を図ることができる。
【００４８】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４９】
１  照明装置、１０  照明ユニット、１１  発光モジュール、１１ａ  基板、２０  シャーシ、２０ａ  上面部、２０ｂ  側面部、３０  筐体、３０ａ  上面部、３０ｂ  側面部、３０ｃ  取付座、４０  回路部、４１  基板、４２  電気部品、７０  シート、７０ａ  第１の部分、７０ｂ  第２の部分
【図１】
2018107057.tif 000003
【図２】
2018107057.tif 000004